(57)【要約】    【課題】  一体型走査光学系ユニットの小型化を図ると共に装置全体の小型化を図ることができる画像読取装置を得ること。    【解決手段】  光源手段の光束により照明された原稿からの光束を反射させる複数のミラーと、複数のミラーで反射された光束を結像させる結像光学系と、主走査方向に複数の読取画素を配置した読取手段とを一体的に収納した一体型走査光学系ユニットを副走査方向に移動させて、原稿の画像情報を読取る際、複数のミラーのうち、少なくとも１つのミラーは、光束が２度以上、入射しており、副走査断面内において、複数のミラーの反射面は、結像光学系の光入射面よりも原稿の読取り位置側の空間内に配置されており、結像光学系の光入射面に光学的に最も近い位置に配置されたミラーの反射面は、他のミラーの反射面に比べて原稿台からその法線方向に最も離れた位置に配置されていること。【選択図】    図１
2008278418.tif 000002
【特許請求の範囲】
【請求項１】
原稿台に載置した原稿を照明する光源手段と、該光源手段からの光束により照明された原稿からの光束を反射させる複数のミラーと、該複数のミラーで反射された光束を結像させる結像光学系と、該結像光学系の結像位置であって、主走査方向に複数の読取画素を配置した読取手段とを一体的に収納した一体型走査光学系ユニットを副走査方向に移動させて、該原稿の画像情報を読取る画像読取装置において、
該複数のミラーのうち、少なくとも１つのミラーは、光束が２度以上、入射しており、副走査断面内において、該複数のミラーの反射面は、結像光学系の光入射面よりも該原稿の読取り位置側の空間内に配置されており、該結像光学系の光入射面に光学的に最も近い位置に配置されたミラーの反射面は、他のミラーの反射面に比べて該原稿台からその法線方向に最も離れた位置に配置されていることを特徴とする画像読取装置。
【請求項２】
前記複数のミラーの数は、４枚であり、副走査断面内において、光束が２度以上入射するミラーの反射面と、前記結像光学系の光入射面に光学的に最も近い位置に配置されたミラーとの反射面は、平行であることを特徴とする請求項１に記載の画像読取装置。
【請求項３】
前記複数のミラーは第１、第２、第３、第４ミラーより成り、各ミラーは、前記原稿からの光束が該第１ミラーで反射された後、該第２ミラーへ入射し、該第２ミラーで反射された光束が、該原稿と該第１ミラーとの間の光束を交差して通過後、該第３ミラーへ入射し、該第３ミラーで反射された光束が、該原稿と該第１ミラーとの間の光束を再度交差して通過後、更に該第１ミラーと該第２ミラーとの間の光路を交差して通過した後、該第２ミラーへ再度入射し、該第２ミラーで反射された光束が該第４ミラーへ入射し、該第４ミラーで反射された光束が前記結像光学系に入射するように配置されていることを特徴とする請求項１又は２に記載の画像読取装置。
【請求項４】
前記複数のミラーは第１、第２、第３、第４ミラーより成り、各ミラーは、前記原稿からの光束が該第１ミラーで反射された後、該第２ミラーへ入射し、該第２ミラーで反射された光束が該第３ミラーへ入射し、該第３ミラーで反射された光束が該第１ミラーと該第２ミラーとの間の光路を交差して通過後、該第２ミラーへ再度入射し、該第２ミラーで反射された光束が、該第４ミラーへ入射し、該第４ミラーで反射された光束が前記結像光学系に入射するように配置されていることを特徴とする請求項１又は２に記載の画像読取装置。
【請求項５】
前記第４ミラーと前記結像光学系は、前記原稿台から、その法線方向に前記第１、第２、第３ミラーよりも離れた位置に配置されていることを特徴とする請求項３又は４に記載の画像読取装置。
【請求項６】
副走査断面内において、前記原稿台から、その法線方向に最も離れた位置に配置されているミラーの反射面中心から該原稿台までの距離をａ、前記複数のミラーの反射面中心間の副走査方向の最大距離をｂとするとき、
０．６５＜ａ／ｂ＜１．０
ａ＜３０．０ｍｍ
なる条件を満たすことを特徴とする請求項１乃至５のいずれか１項に記載の画像読取装置。
【請求項７】
副走査断面内において、前記原稿台から、その法線方向に最も離れた位置に配置されているミラーの反射面中心から該原稿台までの距離をａ、前記結像光学系を保持する結像光学系鏡筒から該原稿台までの距離をｃとするとき、
０．５＜ｃ／ａ＜０．７
ａ＜３０．０ｍｍ
なる条件を満たすことを特徴とする請求項１乃至６のいずれか１項に記載の画像読取装置。
【発明の詳細な説明】
【技術分野】
【０００１】
本発明は画像読取装置に関するものである。更に本発明は光源手段、複数のミラー、結像光学系、そして読取手段を含む一体型走査光学系ユニットを用いて原稿の画像情報を読取るようにした、イメージスキャナーやデジタル複写機の装置に好適な画像読取装置に関するものである。
【背景技術】
【０００２】
従来より、イメージスキャナーやデジタル複写機の画像読取装置が種々と提案されている（特許文献１参照）。
【０００３】
図４は一体型走査光学系ユニットを有する画像読取装置の要部概略図である。
【０００４】
同図における一体型走査光学系ユニット（以下「キャリッジ」とも称す。）507は原稿台ガラス（原稿台）502上に載置された原稿501を照明する光源手段（照明光源）503を有する。更にキャリッジ507は照明された原稿501からの光束を読取る読取手段としてのラインセンサー（もしくはイメージセンサ−）505を有する。更に原稿501からの光束をラインセンサー505に導く複数の走査用のミラー504a〜504d、該原稿501からの画像情報に基づく光束をラインセンサー505面上に結像させる結像光学系(結像レンズ）506を有する。
【０００５】
このように構成されたキャリッジ507は駆動手段としての駆動モータ（副走査モータ）508により同図に示す矢印Ａ方向（副走査方向）に走査される。
【０００６】
一体型走査光学系ユニット507を構成する各要素は、その各要素の相対位置関係を変えずに原稿を走査するものである。
【０００７】
同図において複数の走査用のミラーは第１ミラー504a、第２ミラー504b、第３ミラー504c、そして第４ミラー504dから成る。各ミラーは、原稿501からの光束が第１ミラー504aから第２ミラー504bへ、第２ミラー504bから第３ミラー504cへ、第３ミラー504cから第４ミラー504dへ入射するようにそれぞれ配置されている。そして第４ミラー504dへ入射した光束は結像光学系506によりラインセンサー505面上へ結像する。
【０００８】
このような構成において、ラインセンサー505で読取られた原稿の画像情報は電気信号として特定の画像処理部（不図示）に送られ、特定の信号処理を施された後に出力されるようになっている。また画像読取装置は、本装置を駆動するための電源部（不図示）を併せ持っている。
【０００９】
また、同図においては結像光学系506とラインセンサー505との間の光路上に分光特性調整手段509が配置されている。この分光特性調整手段509は、画像情報に含まれる赤外光成分、もしくは可視光成分などを減じる機能を有している。その構成は平板基盤ガラス面上に互いに屈折率の異なる無機物質を多層膜状に蒸着することで特定の分光特性を得ており、この基盤ガラスを駆動させ光路上に挿入もしくは光路上から退避することで、特定の分光特性の画像情報を得る目的に寄与している。その分光特性の一例を図５に示す。図５において、１１は赤外カットフィルターの分光特性であり、波長700ｎｍ以上の赤外光を遮光している。１２は可視カットフィルターの分光特性であり、波長400ｎｍから波長700ｎｍまでの可視光を遮光している。
【００１０】
ところで従来より、この種の画像読取装置においては、キャリッジ全体の小型化が要望されている。近年になって、装置本体の薄型化が進み、キャリッジの上下方向への小型化の要望が更に強まっている。
【００１１】
この解決法としては、主に結像光学系を広画角化し、原稿からラインセンサーに至るまでの光路長を短縮する方法やミラーの反射回数を増やしながら、キャリッジ全体の小型化を進める方法が挙げられる。このような解決法を用いた画像読取装置は従来より種々と提案されている。（特許文献２参照）。
【特許文献１】特開２００１-１８９８３３号公報
【特許文献２】米国特許ＵＳ６９２４９１３号明細書
【発明の開示】
【発明が解決しようとする課題】
【００１２】
しかしながら、上記の画像読取装置においては、下記に示す種々の問題点がある。
【００１３】
まず結像光学系を広画角化する方法では、以下に示す問題点がある。結像光学系を広画角化すると結像光学系の入射画角のｃｏｓ４乗則に比例する周辺光量の減少が生じるため、より強力な光源手段が必要になる。また結像光学系の収差が大きくなるため、上記ラインセンサーにおいて原稿の画像情報に対応して正確な画像情報の読取りが難しくなる。
【００１４】
次にミラーの反射回数を増やしながら、キャリッジ全体の小型化を進める方法では、以下に示す問題点がある。特許文献２では第１、第２ミラーを多重反射ミラーとして構成し、分光調整手段を配置する空間を確保している。しかしながら、多重反射ミラーを構成するミラーがキャリッジの最上部と最下部に配置することから、副走査断面内において上下方向の大型化を招くという問題があった。また、最下部の第１のミラーは、長手方向に最も長いミラーであるために、キャリッジ底部の長手方向の小型化が難しかった。
【００１５】
本発明は一体型走査光学系ユニットの小型化を図ると共に装置全体の小型化を図ることができる画像読取装置の提供を目的とする。
【課題を解決するための手段】
【００１６】
請求項１の発明の画像読取装置は、
原稿台に載置した原稿を照明する光源手段と、該光源手段からの光束により照明された原稿からの光束を反射させる複数のミラーと、該複数のミラーで反射された光束を結像させる結像光学系と、該結像光学系の結像位置であって、主走査方向に複数の読取画素を配置した読取手段とを一体的に収納した一体型走査光学系ユニットを副走査方向に移動させて、該原稿の画像情報を読取る画像読取装置において、
該複数のミラーのうち、少なくとも１つのミラーは、光束が２度以上、入射しており、副走査断面内において、該複数のミラーの反射面は、結像光学系の光入射面よりも該原稿の読取り位置側の空間内に配置されており、該結像光学系の光入射面に光学的に最も近い位置に配置されたミラーの反射面は、他のミラーの反射面に比べて該原稿台からその法線方向に最も離れた位置に配置されていることを特徴としている。
【００１７】
請求項２の発明は請求項1の発明において、
前記複数のミラーの数は、４枚であり、副走査断面内において、光束が２度以上入射するミラーの反射面と、前記結像光学系の光入射面に光学的に最も近い位置に配置されたミラーとの反射面は、平行であることを特徴としている。
【００１８】
請求項３の発明は請求項１又は２の発明において、
前記複数のミラーは第１、第２、第３、第４ミラーより成り、各ミラーは、前記原稿からの光束が該第１ミラーで反射された後、該第２ミラーへ入射し、該第２ミラーで反射された光束が、該原稿と該第１ミラーとの間の光束を交差して通過後、該第３ミラーへ入射し、該第３ミラーで反射された光束が、該原稿と該第１ミラーとの間の光束を再度交差して通過後、更に該第１ミラーと該第２ミラーとの間の光路を交差して通過した後、該第２ミラーへ再度入射し、該第２ミラーで反射された光束が該第４ミラーへ入射し、該第４ミラーで反射された光束が前記結像光学系に入射するように配置されていることを特徴としている。
【００１９】
請求項４の発明は請求項１又は２の発明において、
前記複数のミラーは第１、第２、第３、第４ミラーより成り、各ミラーは、前記原稿からの光束が該第１ミラーで反射された後、該第２ミラーへ入射し、該第２ミラーで反射された光束が該第３ミラーへ入射し、該第３ミラーで反射された光束が該第１ミラーと該第２ミラーとの間の光路を交差して通過後、該第２ミラーへ再度入射し、該第２ミラーで反射された光束が、該第４ミラーへ入射し、該第４ミラーで反射された光束が前記結像光学系に入射するように配置されていることを特徴としている。
【００２０】
請求項５の発明は請求項３又は４の発明において、
前記第４ミラーと前記結像光学系は、前記原稿台から、その法線方向に前記第１、第２、第３ミラーよりも離れた位置に配置されていることを特徴としている。
【００２１】
請求項６の発明は請求項１乃至５のいずれか１項の発明において、
副走査断面内において、前記原稿台から、その法線方向に最も離れた位置に配置されているミラーの反射面中心から該原稿台までの距離をａ、前記複数のミラーの反射面中心間の副走査方向の最大距離をｂとするとき、
０．６５＜ａ／ｂ＜１．０
ａ＜３０．０ｍｍ
なる条件を満たすことを特徴としている。
【００２２】
請求項７の発明は請求項１乃至６のいずれか１項の発明において、
副走査断面内において、前記原稿台から、その法線方向に最も離れた位置に配置されているミラーの反射面中心から該原稿台までの距離をａ、前記結像光学系を保持する結像光学系鏡筒から該原稿台までの距離をｃとするとき、
０．５＜ｃ／ａ＜０．７
ａ＜３０．０ｍｍ
なる条件を満たすことを特徴としている。
【発明の効果】
【００２３】
本発明によれば一体型走査光学系ユニットの小型化を図ると共に装置全体の小型化を図ることができる画像読取装置を達成することができる。
【発明を実施するための最良の形態】
【００２４】
以下、図面を用いて本発明の実施例を説明する。
【実施例１】
【００２５】
図１は本発明の実施例１の画像読取装置の要部概略図である。同図においては本発明の画像読取装置を、イメージスキャナーの装置に適用したときを示している。
【００２６】
尚、以下の説明において、キャリッジ107の左右方向とは駆動手段（副走査モータ）108によってキャリッジ107が駆動される方向のことで、副走査方向に相当している。またキャリッジの上下方向とは原稿面101の法線方向(鉛直方向）のことであり、上側の方向とは原稿面101側の方向のことであり、下側の方向とはその逆の方向のことである。主走査方向とは読取手段105の画素の並び方向（紙面垂直方向）である。また本実施例において光学的とは、光束が進行する方向（光路長）に沿って取り扱う場合のことである。
【００２７】
図中、1は画像読取装置本体、102は原稿台（原稿台ガラス）であり、その原稿台102面上に原稿101が載置されている。
【００２８】
107は一体型走査光学系ユニットであり、後述する光源手段103、走査用の複数のミラー104ａ〜104ｄ、結像光学系106、そして読取手段105を一体的に収納している。一体型走査光学系ユニット107は、モータ等の駆動装置108により副走査方向（図１において矢印Ａ方向）へ走査し、原稿101の画像情報を読取っている。
【００２９】
尚、一体型走査光学系ユニット107と原稿101とを相対的に移動させて原稿101の画像情報を読取るようにしても良い。また一体型走査光学系ユニット107を以下「キャリッジ」とも称す。
【００３０】
103は光源手段であり、蛍光灯やハロゲンランプより成っており、原稿台102に載置した原稿101を照明している。
【００３１】
104ａ、104ｂ，104ｃ，104ｄは各々順に第１，第２，第３，第４ミラーであり、後述する位置に配置されており、原稿101からの光束を反射させている。
【００３２】
106は結像光学系（結像レンズ）であり、複数のミラー104ａ、104ｂ，104ｃ，104ｄで反射された原稿101の画像情報に基づく光束を読取手段105面上に結像させている。
【００３３】
105は読取手段であり、ラインセンサー（もしくはイメージセンサー）の電荷結合素子より成っており、結像光学系106の結像位置であって、主走査方向に複数の読取画素を配置している。
【００３４】
108は駆動装置としての副走査モータであり、キャリッジ107を副走査方向に移動させている。
【００３５】
112は結像光学系鏡筒であり、結像光学系106を保持している。
【００３６】
109は、分光特性調整手段であり、結像光学系106と読取手段105との間の光路内に配置されており、画像情報に含まれる赤外光成分もしくは可視光成分などを減じる機能を有しており、目的に応じて特定の画像を得ている。
【００３７】
本実施例における分光特性調整手段109は、2枚の高分子多層膜フィルタ109A、109Bを結像光学系106と読取手段105との間の光路内へ挿入もしくは光路内から退避できる構成になっている。そして目的に応じて２枚の高分子多層膜フィルタ109A、109Bのうち、一方の高分子多層膜フィルタを光路内に位置するように選択的に挿入している。
【００３８】
高分子多層膜フィルタ109Aは、赤外光を減じる機能（分光特性）を有している。以下「赤外カットフィルタ」と称す。また、高分子多層膜フィルタ109Bは、可視光を減じる機能（分光特性）を有している。以下「可視カットフィルタ」と称す。
【００３９】
尚、それぞれの高分子多層膜フィルタ109A、109Bの分光透過率は、前記図５に示す分光透過率と同等である。
【００４０】
走査用の複数のミラーは第１，第２，第３，第４ミラー104ａ，104ｂ，104ｃ，104ｄの４枚のミラーより成っている。
【００４１】
本実施例では、原稿101からの光束が第１ミラー104ａで反射された後、第２ミラー104ｂへ入射するように各ミラーを配置している。更に第２ミラー104ｂで反射された光束が、原稿101と第１ミラー104ａとの間の光束を交差して通過後、第３ミラー104ｃへ入射するように各ミラーを配置している。更に第３ミラー104ｃで反射された光束が原稿101と第１ミラー104ａとの間の光束を再度交差して通過後、更に第１ミラー104ａと第２ミラー104ｂとの間の光路を交差して通過した後、第２ミラー104ｂへ再度入射するように各ミラーを配置している。更に第２ミラー104ｂで反射された光束が第４ミラー104ｄへ入射し、第４ミラー104ｄで反射された光束が結像光学系106に入射するように各ミラーを配置している。
【００４２】
また本実施例では複数のミラー104ａ，104ｂ，104ｃ，104ｄのうち、少なくとも１つのミラー、本実施例では第２ミラー(多重反射ミラー）104ｂに、光束が２度以上、入射している。更に副走査断面内において、複数のミラー104ａ，104ｂ，104ｃ，104ｄの反射面が、結像光学系106の光入射面よりも原稿101の読取り位置側の空間内に配置されている。更に結像光学系106の光入射面に光学的に最も近い位置に配置された第４ミラー104dの反射面が、他のミラーの反射面に比べて原稿台102からその法線方向に最も離れた位置に配置されている。
【００４３】
また副走査断面内において、光束が２度以上入射する第２ミラー104ｂの反射面と、結像光学系106の光入射面に光学的に最も近い位置に配置された第４ミラー104dとの反射面が、平行と成るように配置されている。
【００４４】
また第４ミラー104dと結像光学系106が、原稿台102から、その法線方向に第１、第２、第３ミラー104ａ，104ｂ，104ｃよりも離れた位置に配置されている。
【００４５】
本実施例において、キャリッジ107内に配置された光源手段103を含む照明系111により放射された光束は原稿101の下面を照明する。次いで原稿101からの拡散光束の一部が図１において鉛直下方へ進み、キャリッジ107の下側に配置された第１ミラー104ａに入射する。第１ミラー104ａに入射した光束は特定の角度でキャリッジ107の右上方へ反射され、該キャリッジ107の右側に配置された第２ミラー104ｂに入射する。
【００４６】
第２ミラー104ｂに入射した光束は特定の角度でキャリッジ107の左方へ反射され、光源手段103の左側に配置された第３ミラー104ｃに入射する。第３ミラー104ｃに入射した光束は特定の角度で、キャリッジ107の右側へ反射され、第２ミラー104ｂに再度入射する。第２ミラー104ｂに入射した光束は特定の角度でキャリッジ107の左下方へ反射され、キャリッジ107の最下端側に配置された第４ミラー104ｄに入射する。
【００４７】
第４ミラー104ｄに入射した光束（主光線）は原稿101面に対して水平方向に反射され、結像光学系106により該結像光学系106とラインセンサー105との間に配置された分光特性調整手段109を通過した後、ラインセンサー105面上に結像する。そしてキャリッジ107を図１に示す矢印Ａ方向（副走査方向）に移動させることにより、原稿101の画像情報を読み取っている。
【００４８】
また、本実施例において、原稿101の画像（可視画像）と原稿101の欠陥（赤外画像）を読取る際には、赤外光と可視光の成分を備えた同一の光源手段103にて原稿101の照明を行う。そしてフィルムの原稿101の画像の読取りを行う際には、赤外カットフィルタ109Aが光路内に位置するように挿入され画像を読取る。
【００４９】
またごみ、傷の原稿101の欠陥を読取る際には、可視カットフィルタ109Bが光路内に位置するように挿入され、原稿101の欠陥の読取り行う。そして赤外光で読取った原稿上のごみ、傷の範囲情報により、可視光で読取った画像情報における欠陥を修復する。
【００５０】
本実施例のキャリッジ107は、上述した如く走査用の複数のミラー104ａ、104ｂ、104ｃ、104ｄの反射面を全て結像光学系106の光入射面よりも原稿101の読取り位置側に配置している。これによって、副走査断面内において、分光特性調整手段109を配置および駆動させるための空間を結像光学系106の上面側に作ることができる。また、第２ミラー104ｂを多重反射ミラーにすることで、前記空間を保ちながら、キャリッジ107の上下左右方向を小型化することが可能となる。
【００５１】
更に長手方向の短い第４ミラー104ｄをキャリッジ107の最下部に配置することで、キャリッジ107底部に配置されるのが、比較的小型な結像光学系106、ラインセンサー105、そして、第４ミラー104ｄだけとなる。これにより図２に示すようにキャリッジ107の底部を小型にすることができる。またイメージスキャナー本体内に生まれた空間には、従来、他の場所に配置されていた電源装置や画像処理回路を配置することができる。これにより装置全体の小型化に貢献することができる。
【００５２】
尚、本実施例において、各ミラーの配置は、上記の配置に限らず、以下のように配置しても良い。つまり各ミラーを、原稿101からの光束が第１ミラー104aで反射された後、第２ミラー104bへ入射し、第２ミラー104bで反射された光束が、原稿101と第１ミラー104aとの間の光束を交差して通過するように配置する。更に第３ミラー104cへ入射し第３ミラー104cで反射された光束が原稿101と第１ミラー104aとの間の光束を再度交差して通過後、第１ミラー104aと第２ミラー104bとの間の光路を交差しないで第２ミラー104bへ再度入射するように配置する。更に第２ミラー104bで反射された光束が第４ミラー104dへ入射し、第４ミラー104dで反射された光束が結像光学系106に入射するように配置する。
【００５３】
本実施例においては、副走査断面内において、原稿台102から、その法線方向に最も離れた位置に配置されている第4ミラー104dの反射面中心から該原稿台102までの距離をａ、複数のミラーの反射面中心間の副走査方向の最大距離をｂとするとき、
０．６５＜ａ／ｂ＜１．０        ・・・(1)
ａ＜３０．０ｍｍ                ・・・(2)
なる条件を満たすように設定している。
【００５４】
条件式(1)(2)は、複数のミラーの配置距離を最適に設定するための条件式であり、全ての条件式(1)(2)を満たすことによって、適切なミラー配置となり、副走査断面内において、上下左右方向の小型化を実現することができる。
【００５５】
図１に示す本実施例の画像読取装置は、
ａ＝28.5ｍｍ、ｂ＝41.4ｍｍ
であり、各数値を条件式(1)(2)に当てはめると
条件式(1)    ａ／ｂ＝0.69
条件式(2)    ａ（28.5ｍｍ）＜３０．０ｍｍ
となる。これは条件式(1)(2)を全て満たしている。
【００５６】
更に、本実施例においては、副走査断面内において、結像光学系106を保持する結像光学系鏡筒112から原稿台102までの距離をｃとするとき、
０．５＜ｃ／ａ＜０．７          ・・・(3)
ａ＜３０．０ｍｍ                ・・・(2)
なる条件を満たすように設定している。
【００５７】
条件式(2)(3)は、キャリッジ107内における分光特性調整手段109に必要な空間を確保するための条件式であり、全ての条件式(2)(3)を満たすことによって、適切な空間を取りつつも、キャリッジ107本体の小型化を達成することができる。
【００５８】
図１に示す本実施例の画像読取装置は、
ａ＝28.5ｍｍ、ｃ＝18.0ｍｍ
であり、各数値を条件式(2)(3)に当てはめると
条件式(3)    ｃ／ａ＝0.63
条件式(2)    ａ（28.5ｍｍ）＜３０．０ｍｍ
となる。これは条件式(2)(3)を満たしている。
【００５９】
尚、本実施例において、更に望ましくは上記条件式(1)〜(3)を次の如く設定するのが良い。
【００６０】
０．６５＜ａ／ｂ＜０．８０  ・・・(1a)
ａ＜２９ｍｍ              ・・・(2a)
０．５５＜ｃ／ａ＜０．６５  ・・・(3a)
このように本実施例ではキャリッジを有する画像読取装置において複数のミラーを含めた各要素の配置を適切に設定することにより、分光特性調整手段のスペースを確保しつつ、一体型走査光学系ユニットの小型化を図ると共に装置全体の小型化を図ることができる。
【００６１】
尚、結像光学系106はレンズに限らず、反射曲面を含む、もしくは反射曲面のみから構成しても良い。
【実施例２】
【００６２】
図３は本発明の画像読取装置を例えばイメージスキャナー等の装置に適用したときの実施例２の要部概略図である。同図において図１に示した要素と同一要素には同符番を付している。
【００６３】
本実施例において前述の実施例１と異なる点は、副走査断面において光源手段103の右側に第３ミラー204ｃを配置し、図１同様にキャリッジ207の最下部に第４ミラー204ｄ、結像光学系106を適切に配置してキャリッジ207を構成したことである。その他の構成及び光学的作用は実施例１と同様であり、これにより同様な効果を得ている。
【００６４】
つまり走査用の複数のミラーは第１，第２，第３，第４ミラー204ａ，204ｂ，204ｃ，204ｄの４枚のミラーより成っている。
【００６５】
本実施例では、原稿101からの光束が第１ミラー204ａで反射された後、第２ミラー204ｂへ入射し、第２ミラー204ｂで反射された光束が、第３ミラー204ｃへ入射するように各ミラーを配置している。更に第３ミラー204ｃで反射された光束が、第１ミラー204ａと第２ミラー204ｂとの間の光路を交差して通過後、第２ミラー204ｂへ再度入射するように各ミラーを配置している。更に第２ミラー204ｂで反射された光束が第２ミラー204ｂと平行な第４ミラー204ｄへ入射するように各ミラーを配置している。更に第４ミラー204ｄで反射された光束が結像光学系206に入射するように各ミラーを配置している。
【００６６】
本実施例において、キャリッジ207内に配置された光源手段103を含む照明系111により放射された光束は原稿101の下面を照明する。次いで原稿101からの拡散光束の一部が図４において鉛直下方へ進み、キャリッジ207の下側に配置された第１ミラー204ａに入射する。第１ミラー204ａに入射した光束は特定の角度でキャリッジ207の右上方へ反射され、キャリッジ207の右側に配置された第２ミラー204ｂに入射する。
【００６７】
第２ミラー204ｂに入射した光束は特定の角度でキャリッジ207の左方へ反射され、光源手段103の右側に配置された第３ミラー204ｃに入射する。第３ミラー204ｃに入射した光束は特定の角度で再び、キャリッジ207の右側へ反射され、第２ミラー204ｂに再度入射する。
【００６８】
第２ミラー204ｂに入射した光束は特定の角度でキャリッジ207の左下方へ反射され、キャリッジ207の下端側に配置された第４ミラー204ｄに入射する。第４ミラー204ｄに入射した光束は原稿101面に対して水平方向に反射され、結像光学系106により該結像光学系106とラインセンサー105との間に配置された分光特性調整手段109を通過した後、ラインセンサー105面上に結像する。そしてキャリッジ207を図３に示す矢印Ａ方向（副走査方向）に移動させることにより、原稿101の画像情報を読み取っている。
【００６９】
本実施例でも、原稿101の画像（可視画像）と原稿101の欠陥（赤外画像）を読取る際には、赤外光と可視光の成分を備えた同一の光源手段103にて原稿101の照明を行う。そしてフィルムの原稿101の画像の読取りを行う際には、赤外カットフィルタ109Aが光路内に位置するように挿入され画像を読取る。
【００７０】
またごみ、傷の原稿101の欠陥を読取る際には、可視カットフィルタ109Bが光路内に位置するように挿入され、原稿101の欠陥の読取り行う。そして赤外光で読取った原稿上のごみ、傷の範囲情報により、可視光で読取った画像情報における欠陥を修復する。
【００７１】
尚、本実施例において、各ミラーの配置は、上記の配置に限らず、以下のように配置しても良い。つまり各ミラーを、原稿101からの光束が第１ミラー201aで反射された後、第２ミラー204bへ入射し、第２ミラー204bで反射された光束が第３ミラー204cへ入射するように配置する。更に第３ミラー204cで反射された光束が第２ミラー204bへ再度入射し、第２ミラー204bで反射した光束が第１ミラーと第２ミラーとの間の光路を交差して通過後、第４ミラーへ入射するように配置する。更に第４ミラーで反射された光束が結像光学系106に入射するように配置する。
【００７２】
また複数ミラーの配置を設定する条件式(1)(2)及び分光特性調整手段109を配置及び駆動させるための空間を確保するための条件式(2)(3)は、図３に示す本実施例の画像読取装置において、
ａ＝28.5ｍｍ、ｂ＝37.5ｍｍ、ｃ＝18.0ｍｍ
であり、各数値を条件式(1)(2)(3)に当てはめると
条件式(1)    ａ／ｂ＝0.76
条件式(2)    ａ（28.5ｍｍ）＜３０．０ｍｍ
条件式(3)    ｃ／ａ＝0.63
となる。これは条件式(1)(2)(3)を全て満たしている。
【００７３】
尚、本発明は上記に示した各実施例以外にも、各請求項の構成要件を満たしていれば、一体型走査光学系ユニットの各部材をどのように構成しても良い。これによれば前述した実施例と同様な効果が得られる。
【図面の簡単な説明】
【００７４】
【図１】本発明の実施例１の要部構成図
【図２】本発明の実施例１の要部斜視図
【図３】本発明の実施例２の要部構成図
【図４】従来の画像読取装置の要部構成図
【図５】従来の分光特性調整手段の特性図
【符号の説明】
【００７５】
１  画像読取装置
１０１  原稿（画像）
１０２  原稿台ガラス
１０３  光源手段
１０４ａ，１０４ｂ，１０４ｃ，１０４ｄ  ミラー
２０４ａ，２０４ｂ，２０４ｃ，２０４ｄ  ミラー
１０７，２０７  一体型走査光学系ユニット（キャリッジ）
１０６  結像光学系
１０５  読取手段（ラインセンサー）
１０８  副走査モータ
１０９  分光特性調整手段
１１１  照明系
１１２  結像光学系鏡筒
【図１】
2008278418.tif 000003
【図２】
2008278418.tif 000004
【図３】
2008278418.tif 000005
【図４】
2008278418.tif 000006
【図５】
2008278418.tif 000007